(57)【要約】  【課題】複数の種類の電子マネーが利用可能な自動販売機において、電子マネー関連の情報設定中に、設定中の電子マネーを表示することで現在設定中の電子マネーを容易に認識でき、誤設定を防止することができる。  【解決手段】商品を複数の電子マネーを使って購入可能な自動販売機において、電子マネー選択手段１と選択電子マネー表示手段２と電子マネー関連情報設定手段３とに接続された演算制御部４とからなり、演算制御部４は、電子マネー関連情報設定手段３にて電子マネー関連情報設定中の場合、現在設定中の該当の電子マネーを選択電子マネー表示手段２にて知らせることで、設定中の電子マネーを容易に認識でき、誤設定を防止することができる。【選択図】図１
2010092399.tif 000002
【特許請求の範囲】
【請求項１】
商品を複数の電子マネーを使って購入可能な自動販売機において、購入者が電子マネーを利用したい場合に選択することができる電子マネー選択手段と、前記電子マネー選択手段に関連して、選択されていることを表示することができる選択電子マネー表示手段と、価格などの各電子マネー関連の設定値を設定変更することができる電子マネー関連情報設定手段と、前記電子マネー選択手段と前記選択電子マネー表示手段と前記電子マネー関連情報設定手段とに接続された演算制御部とからなり、前記演算制御部は、前記電子マネー関連情報設定手段にて電子マネー関連情報設定中の場合、現在設定中の電子マネーを前記選択電子マネー表示手段にて知らせることを特徴とした自動販売機の制御装置。
【請求項２】
前記電子マネー選択手段にて現在選択されている電子マネーと異なる電子マネーが選択されたことを検知することができる電子マネー選択検知手段を備え、前記演算制御部は、前記電子マネー関連情報設定手段にて電子マネー関連情報設定中に、前記電子マネー選択検知手段にて、異なる電子マネーが選択されたことを検知した場合、設定可能な電子マネー情報を後選択された電子マネーに切り替えることを特徴とした請求項１に記載の自動販売機の制御装置。
【請求項３】
電子マネーがかざされた場合に、そのかざされた電子マネーの種別を読込んで検知することができる電子マネー読込み手段を備え、前記演算制御部は、前記電子マネー関連情報設定手段にて電子マネー関連情報設定中に、前記電子マネー読込み手段にて、現在選択中の電子マネーと異なる電子マネーがかざされて読込まれたことを検知した場合、設定可能な電子マネー情報を読込まれた電子マネーに切り替えることを特徴とした請求項１または２に記載の自動販売機の制御装置。
【請求項４】
全コラム同一の設定値に一括設定することができる一括設定手段を備え、前記演算制御部は、前記電子マネー関連情報設定手段にて電子マネー関連情報を設定する際に、前記一括設定手段にて設定した場合、該当の電子マネーの設定値を全コラムに対して設定することを特徴とした請求項１から３のいずれか一項に記載の自動販売機の制御装置。
【請求項５】
最優先で利用または設定したい電子マネーを記憶しておくデフォルトマネー記憶手段を備え、前記演算制御部は、前記電子マネー関連情報設定手段にて設定モードに入ったときに、前記デフォルトマネー記憶手段に記憶してあるマネーを最優先で設定可能とすることを特徴とした請求項１から４のいずれか一項に記載の自動販売機の制御装置。
【発明の詳細な説明】
【技術分野】
【０００１】
本発明は、電子マネーが利用可能な自動販売機の制御装置に関するものである。
【背景技術】
【０００２】
従来の電子マネーが利用可能な自動販売機の制御装置には、商品の価格設定時に表示器に表示している価格を選択ボタン操作することにより設定することができる制御装置について開示したものがある（例えば、特許文献１参照）。
【特許文献１】特開昭５９−１８３４８７号公報
【発明の開示】
【発明が解決しようとする課題】
【０００３】
しかしながら、前記従来の自動販売機では、複数の種類の電子マネーが利用可能な自動販売機において、現在設定中の情報がどの電子マネーについてのものなのか容易に判断できないという課題を有していた。
【０００４】
本発明は、前記従来の課題を解決するもので、現在設定中の情報がどの電子マネーについてのものなのかをＬＥＤなどで表示させ、容易に判断することができ誤設定を防止することを目的としている。
【課題を解決するための手段】
【０００５】
前記従来の課題を解決するために、本発明の自動販売機の制御装置は、各電子マネーの表示手段を設け、電子マネー関連の情報を設定する際に、設定中の該当の電子マネーを表示手段で表示させて知らせるものである。
【発明の効果】
【０００６】
本発明の自動販売機の制御装置は、各電子マネーの表示手段を設け、電子マネー関連の情報を設定する際に、設定中の該当の電子マネーを表示手段で表示させて知らせることで、誤設定を防止することができる。
【発明を実施するための最良の形態】
【０００７】
請求項１に記載の発明は、商品を複数の電子マネーを使って購入可能な自動販売機において、購入者が電子マネーを利用したい場合に選択することができる電子マネー選択手段と、前記電子マネー選択手段に関連して、選択されていることをランプなどで表示することができる選択電子マネー表示手段と、価格などの各電子マネー関連の設定値を設定変更することができる電子マネー関連情報設定手段と、前記電子マネー選択手段と前記選択電子マネー表示手段と前記電子マネー関連情報設定手段とに接続された演算制御部とからなり、前記演算制御部は、前記電子マネー関連情報設定手段にて電子マネー関連情報設定中の場合、設定中の該当の電子マネーを前記選択電子マネー表示手段にて知らせるものであり、現在設定中の電子マネーを容易に認識することができ、誤設定を防止することができる。
【０００８】
請求項２に記載の発明は、請求項１に記載の発明において、前記電子マネー選択手段にて現在選択されている電子マネーと異なる電子マネーが選択されたことを検知することができる電子マネー選択検知手段を備え、前記演算制御部は、前記電子マネー関連情報設定手段にて電子マネー関連情報設定中に、前記電子マネー選択検知手段にて、異なる電子マネーが選択されたことを検知した場合、設定可能な電子マネー情報を後選択された電子マネーに切り替えるものであり、設定を容易に行えるようにすることができる。
【０００９】
請求項３に記載の発明は、請求項１または２に記載の発明において、電子マネーがかざされた場合に、そのかざされた電子マネーの種別を読込んで検知することができる電子マネー読込み手段を備え、前記演算制御部は、前記電子マネー関連情報設定手段にて電子マネー関連情報設定中に、前記電子マネー読込み手段にて、現在選択中の電子マネーと異なる電子マネーがかざされて読込まれたことを検知した場合、設定可能な電子マネー情報を読込まれた電子マネーに切り替えるものであり、設定を容易に行えるようにすることができる。
【００１０】
請求項４に記載の発明は、請求項１から３のいずれか一項に記載の発明において、全コラム同一の設定値に一括設定することができる一括設定手段を備え、前記演算制御部は、前記電子マネー関連情報設定手段にて電子マネー関連情報を設定する際に、前記一括設定手段にて設定した場合、該当の電子マネーの設定値を全コラムに対して設定するものであり、設定を容易に行えるようにするとともに誤設定を防止することができる。
【００１１】
請求項５に記載の発明は、請求項１から４のいずれか一項に記載の発明において、最優先で利用または設定したい電子マネーを記憶しておくデフォルトマネー記憶手段を備え、前記演算制御部は、前記電子マネー関連情報設定手段にて設定モードに入ったときに、前記デフォルトマネー記憶手段に記憶してあるマネーを最優先で設定可能とするものであり、設定時間を短縮することができる。
【００１２】
以下、本発明の実施の形態について、図面を参照しながら説明する。なお、この実施の形態によってこの発明が限定されるものではない。
【００１３】
（実施の形態１）
図１は、本発明の実施の形態１による自動販売機の制御装置の機能ブロック図である。図２は、同実施の形態の動作を示すフローチャートである。
【００１４】
図１において、電子マネー選択手段１は購入者が電子マネーを利用したい場合に選択することができ、選択電子マネー表示手段２は電子マネー選択手段に関連して、選択されていることをＬＥＤランプなどで表示することができる。電子マネー関連情報設定手段３は価格などの各電子マネー関連の設定値を設定変更することができる。
【００１５】
演算制御部４ａは、電子マネー関連情報設定手段３にて電子マネー関連情報設定中の場合、現在設定中の電子マネーを選択電子マネー表示手段２にて知らせることができる。
【００１６】
以上のように構成された自動販売機の制御装置について、以下その動作を説明する。
【００１７】
電子マネー関連情報設定手段３にて電子マネー関連情報の設定中かどうかを判定し（ＳＴＥＰ１１）、設定中であれば、選択電子マネー表示手段２にて、現在設定中の電子マネーに対応しているＬＥＤなどを点灯させる（ＳＴＥＰ１２）。
【００１８】
以上のように本実施の形態の自動販売機の制御装置によれば、電子マネー関連の情報設定中に、現在設定中の電子マネー種別を容易に認識することができ、誤設定を防止することができる。
【００１９】
（実施の形態２）
図３は、本発明の実施の形態２による自動販売機の制御装置の機能ブロック図である。図４は、同実施の形態の動作を示すフローチャートである。なお実施の形態１と同一構成のものは、同一符号を付してその詳細な説明を省略する。
【００２０】
図３において、電子マネー選択検知手段５は電子マネー選択手段１にて現在選択されている電子マネーと異なる電子マネーが選択されたことを検知することができ、電子マネー読込み手段６は電子マネーが端末などにかざされた場合に、そのかざされた電子マネーの種別を読込んで検知することができ、一括設定手段７はリモコンなどで設定値を設定する際に全コラム同一の設定値に一括設定することができ、デフォルトマネー記憶手段８は電子マネー関連情報設定手段３にて設定モードに入ったときに最優先で設定させたいマネーを記憶させておく。
【００２１】
演算制御部４ｂは、電子マネー関連情報設定手段３にて設定モードに入った場合に、デフォルトマネー記憶手段８に記憶されている電子マネー種別の設定モードとし、該当のＬＥＤを点灯させる。設定中に電子マネー選択検知手段５にて異なる電子マネーが選択された場合、該当の電子マネー設定モードに切り替え、ＬＥＤを点灯させる。設定中に電子マネー読込み手段６にて異なる電子マネー種別が読込まれた場合、該当の電子マネー設定モードに切り替え、ＬＥＤを点灯させる。一括設定手段７にて設定値を設定した場合は、全コラム同一の設定値に設定することができる。
【００２２】
以上のように構成された自動販売機の制御装置について、以下その動作を説明する。
【００２３】
電子マネー関連情報設定手段３にて電子マネー関連の設定開始かどうかを判定し（ＳＴＥＰ２１）、設定開始であれば、デフォルトマネー記憶手段８に記憶してある電子マネー種別の設定モードとし、選択電子マネー表示手段２にて、現在設定中の電子マネーに対応しているＬＥＤを点灯させる（ＳＴＥＰ２２）。電子マネー選択検知手段５にて異なる電子マネーが選択されたかどうかを判定し（ＳＴＥＰ２３）、選択された場合は、該当の電子マネー種別の設定モードとし、選択電子マネー表示手段２にて、現在設定中の電子マネーに対応しているＬＥＤを点灯させる（ＳＴＥＰ２４）。電子マネー読込み手段６にて異なる電子マネー種別が読込まれたかどうかを判定し（ＳＴＥＰ２５）、読込まれた場合、該当の電子マネー種別の設定モードとし、選択電子マネー表示手段２にて、現在設定中の電子マネーに対応しているＬＥＤを点灯させる（ＳＴＥＰ２６）。電子マネー関連の情報設定中で一括設定手段７にて一括設定を実施する場合（ＳＴＥＰ２７）、該当の電子マネー情報を全コラム同一の設定値に設定する（ＳＴＥＰ２８）。
【００２４】
以上のように本実施の形態の自動販売機の制御装置によれば、設定手順を単純化でき設定を容易に行え、さらに誤設定を防止することができる。
【産業上の利用可能性】
【００２５】
以上のように、本発明にかかる自動販売機の制御装置は、各電子マネーの表示手段を設け、電子マネー関連の情報を設定する際に、設定中の該当の電子マネーを表示手段で表示させて知らせることで、誤設定を防止することができるので、電子マネーが利用可能な自動販売機器全般の用途にも適用できる。
【図面の簡単な説明】
【００２６】
【図１】本発明による自動販売機の制御装置の実施の形態１の機能ブロック図
【図２】同実施の形態による自動販売機の制御装置の動作を示すフローチャート
【図３】本発明による自動販売機の制御装置の実施の形態２の機能ブロック図
【図４】同実施の形態による自動販売機の制御装置の動作を示すフローチャート
【符号の説明】
【００２７】
１  電子マネー選択手段
２  選択電子マネー表示手段
３  電子マネー関連情報設定手段
４ａ、４ｂ  演算制御部
５  電子マネー選択検知手段
６  電子マネー読込み手段
７  一括設定手段
８  デフォルトマネー記憶手段
【図１】
2010092399.tif 000003
【図２】
2010092399.tif 000004
【図３】
2010092399.tif 000005
【図４】
2010092399.tif 000006